【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
ソースから負荷への電力の流れに関する電気パラメータを監視する電気メータであって、
動的データ収集部分、電源部分、およびコントローラ部分を含む計量部分であって、前記コントローラ部分は、前記電気メータに、電源投入モード、通常モード、および電源故障モードのうちの少なくとも１つで様々に動作させるように構成され、動作する、計量部分と、
第１のメモリエリア、第２のメモリエリア、および第３のメモリエリアを有するメモリ部分であって、前記第１のメモリエリアおよび前記第２のメモリエリアは、前記計量部分の前記動的データ収集部分によって収集される動的データを格納するように構成されており、前記第３のメモリエリアは、静的データを格納するように構成されている、メモリ部分と、
ソースを監視するように構成されている入力と、出力部分とを有する電力監視部分と
を具え、
該電源投入操作後、前記コントローラ部分は、前記第３のメモリエリアに格納されている静的データに基づいて、また前記第１のメモリエリアおよび前記第２のメモリエリアのうちの所定の一方に格納されている収集された動的データに基づいて、前記電気メータの最初の操作パラメータを設定するように、前記計量部分の前記コントローラ部分は、前記動的データ収集部分に動的データを収集させ、該収集された動的データを前記第１のメモリエリアと前記第２のメモリエリアとに交互に格納させ、電気メータの電力アップ操作を制御させ、前記電源投入モード中の前記電気メータの電源投入操作を制御させるように構成され、動作することを特徴とする電気メータ。
【請求項２】
前記計量部分の前記コントローラ部分は、前記動的データ収集部分に、個々のデータセットを順次収集させ、第１のデータセットを前記第１のメモリエリアに書き込ませ、第２のデータセットを前記第２のメモリエリアに書き込ませ、その後収集された個々のデータセットを前記第１のメモリエリアと前記第２のメモリエリアとに交互に書き込ませるように構成され、動作することを特徴とする請求項１記載の電気メータ。
【請求項３】
ソースから負荷への電力の流れに関する電気パラメータを監視する電気メータであって、
動的データ収集部分、電源部分、およびコントローラ部分を含む計量部分であって、前記コントローラ部分は、前記電気メータに、電源投入モード、通常モード、および電源故障モードのうちの少なくとも１つで様々に動作させるように構成され、動作する、計量部分と、
第１のメモリエリア、第２のメモリエリア、および第３のメモリエリアを有するメモリ部分であって、前記第１のメモリエリアおよび前記第２のメモリエリアは、前記計量部分の前記動的データ収集部分によって収集される動的データを格納するように構成されており、前記第３のメモリエリアは、静的データを格納するように構成されている、メモリ部分と、
ソースを監視するように構成されている入力と、出力部分とを有する電力監視部分と
を具え、
該電源投入操作後、前記コントローラ部分は、前記第３のメモリエリアに格納されている静的データに基づいて、また前記第１のメモリエリアおよび前記第２のメモリエリアのうちの所定の一方に格納されている収集された動的データに基づいて、前記電気メータの最初の操作パラメータを設定するように、前記計量部分の前記コントローラ部分は、前記動的データ収集部分に動的データを収集させ、該収集された動的データを前記第１のメモリエリアと前記第２のメモリエリアとに交互に格納させ、電気メータの電力アップ操作を制御させ、前記電源投入モード中の前記電気メータの電源投入操作を制御させるように構成され、動作するものであり、
前記計量部分の前記コントローラ部分は、前記動的データ収集部分に、個々のデータセットを順次収集させ、第１のデータセットを前記第１のメモリエリアに書き込ませ、第２のデータセットを前記第２のメモリエリアに書き込ませ、その後収集された個々のデータセットを前記第１のメモリエリアと前記第２のメモリエリアとに交互に書き込ませるように構成され、動作するものであり、
前記計量部分の前記コントローラ部分は、各データセットを書き込んだすぐ後に前記各データセットを読み取り、該読み取られたデータセットを該書き込まれたデータセットと比較し、該読み取られたデータセットが該書き込まれたデータセットと等しくないことを前記比較が示す場合、前記データセットを書き換えるようにさらに構成され、動作することを特徴とする電気メータ。
【請求項４】
前記第１のメモリエリアおよび前記第２のメモリエリアはそれぞれ、単一メモリ装置の別々のアドレス部分に対応することを特徴とする請求項１記載の電気メータ。
【請求項５】
前記単一メモリ装置は、不揮発性メモリ装置であることを特徴とする請求項４記載の電気メータ。
【請求項６】
前記第１のメモリエリアおよび前記第２のメモリエリアはそれぞれ、別々のメモリ装置であることを特徴とする請求項１記載の電気メータ。
【請求項７】
前記第１のメモリエリアおよび前記第２のメモリエリアのそれぞれの前記別々のメモリ装置はそれぞれ、別々の不揮発性メモリ装置であることを特徴とする請求項６記載の電気メータ。
【請求項８】
断続的な電源異常に関係なく消費データを保持するために、そのメモリの保全性を向上させるユーティリティメータの操作の方法であって、
ユーティリティメータに関連付けられている第１のメモリ部分を提供するステップと、
該ユーティリティメータに関連付けられている第２のメモリ部分を提供するステップと、
該ユーティリティメータに関連付けられているデータソースから、消費データを個々のデータセットの形で順次収集するステップと、
前記収集のステップ中に収集された第１のデータセットを前記第１のメモリ部分に書き込むステップと、
前記収集のステップ中に収集された第２のデータセットを前記第２のメモリ部分に書き込むステップと、
その後収集された個々のデータセットを前記第１のメモリ部分と前記第２のメモリ部分とに交互に書き込むステップと、
該データセットを書き込む各ステップの直後に各データセットを読み込むステップと、
該読み取られた各データセットを該書き込まれたデータセットと比較するステップと、
該読み取られた各データセットが該書き込まれたデータセットと等しくないことを前記比較のステップが示す場合、該データセットを書き換えるステップと、
前記比較のステップおよび書き換えのステップを所定の回数繰り返すステップと
を具えたことを特徴とする方法。
【請求項９】
前記提供のステップは、
メモリ装置を備えるステップと、
前記メモリ装置の第１の部分を前記第１のメモリ部分として割り当てるステップと、
前記メモリ装置の第２の部分を前記第２のメモリ部分として割り当てるステップと
を含むことを特徴とする請求項８記載の方法。
【請求項１０】
前記提供のステップは、
第１のメモリ装置を前記第１のメモリ部分として提供するステップと、
第２のメモリ装置を前記第２のメモリ部分として提供するステップと
を含むことを特徴とする請求項８記載の方法。
【請求項１１】
前記提供のステップは、
不揮発性メモリ装置を提供するステップ
を含むことを特徴とする請求項８記載の方法。
【請求項１２】
第１のメモリ装置を提供する前記ステップは、第１の不揮発性メモリ装置を前記第１のメモリ部分として提供するステップを含み、
第２のメモリ装置を提供する前記ステップは、第２の不揮発性メモリ装置を前記第２のメモリ装置として提供するステップを含む
ことを特徴とする請求項１１記載の方法。
【請求項１３】
前記ユーティリティメータを、ＡＣ電源に関連付けられており、調整された電圧と関連する電源部分を備え、調整されていない電圧と関連付する電力監視部分を備える電気メータとして提供するステップと、
該調整された電圧および該調整されていない電圧を監視するステップと、
該電圧のいずれかが所定の閾値未満に低下するという決定に基づいて、前記電気メータの電源障害操作モードを設定するステップと、
該電圧の両方が少なくともそれぞれの所定の最低閾値に増えるという決定に基づいて、前記電気メータの通常操作モードを設定するステップと
をさらに含むことを特徴とする請求項８記載の方法。
【請求項１４】
任意の一時的な電気的環境雑音または劣悪なＡＣ電源状態への感度が低くなるように、前記電気メータが異なる電圧レベルで該電源障害および通常のそれぞれの操作モードになる、ヒステリシス効果を提供するように、該閾値を異なるように設定する前記ステップをさらに具えたことを特徴とする請求項１３記載の方法。
【請求項１５】
断続的な電源異常に関係なく、それに格納されている消費データを保持するために、電気メータを動作させる方法であって、該電気メータのタイプは、動的データ収集部分、電源部分、コントローラ部分、メモリ部分、および電力監視部分を有し、前記方法は、
ａ）メータ初期設定値を前記メモリ部分に格納するステップと、
ｂ）前記電源部分からの前記出力が第１の所定の初期設定値より大きい場合、第１のカウンタを増分するステップと、
ｃ）前記電源部分からの前記出力が該第１の所定の初期設定値以下である場合、該第１のカウンタをリセットするステップと、
ｄ）前記電力監視部分からの前記出力が第２の所定の初期設定値より大きい場合、第２のカウンタを増分するステップと、
ｅ）前記電力監視部分からの前記出力が該第２の所定の初期設定値以下である場合、該第２のカウンタをリセットするステップと、
ｆ）該第１のカウンタに格納されている前記カウントが第３の所定の初期設定値を超えず、該第２のカウンタに格納されている前記カウントが第４の所定の初期設定値を超えない場合、ｂ）からｅ）までのステップを繰り返すステップと、
ｇ）前記電気メータを通常動作モードにするステップと
を具えたことを特徴とする方法。
【請求項１６】
ｈ）前記電源部分からの前記出力が該第１の所定の初期設定値未満である場合、該第１のカウンタを増分するステップと、
ｃ）前記電源部分からの前記出力が該第１の所定の初期設定値以上である場合、該第１のカウンタをリセットするステップと、
ｊ）該第１のカウンタに格納されている前記カウンタが第５の所定の初期設定値より大きい場合、または前記電力監視部分からの前記出力が第６の所定の初期設定値未満である場合、ステップｈ）からｉ）までを繰り返すステップと、
ｋ）前記電気メータを電源障害モードにするステップと
をさらに具えたことを特徴とする請求項１５記載の電気メータを動作させる方法。
【請求項１７】
ｌ）前記動的データ収集部分にデータセットを順次収集させるステップと、
ｍ）第１の収集されたデータセットを前記メモリ部分の第１のメモリエリアに書き込むステップと、
ｎ）第２の収集されたデータセットを前記メモリ部分の第２のメモリエリアに書き込むステップと、
ｏ）その後収集されたデータセットを前記メモリ部分の該第１のメモリエリアと前記メモリ部分の該第２のメモリエリアとに交互に書き込むステップと、
ｐ）前記メモリ部分の該第１のメモリエリアおよび前記第２のメモリエリアのうちのいずれか一方に格納されているデータに基づいてステップａ）を行うステップと
をさらに具えたことを特徴とする請求項１６記載の電気メータを動作させる方法。
【請求項１８】
ｑ）該各データセットを書き込む各ステップのすぐ後に各データセットを読み込むステップと、
ｒ）該読み取られた各データセットを該書き込まれたデータセットと比較するステップと、
ｓ）該読み取られた各データセットが該書き込まれたデータセットと等しくないことを前記比較のステップｒ）が示す場合、該データセットを書き換えるステップと、
ｔ）ステップｒ）およびｓ）を所定の回数繰り返すステップと、
ｕ）該読み取られたデータセットが該書き込まれたデータセットと等しいことをステップｒ）が示さない場合、障害を示すステップと
をさらに具えたことを特徴とする請求項１７記載の電気メータを動作させる方法。
【請求項１９】
断続的な電源障害に関係なく消費データを保持するために、改良されたメモリの保全性を備えるユーティリティメータであって、
公共商品の消費を監視、感知し、所定の連続したデータセットにおけるそれに関連する対応する消費データを生成する電子計量手段と、
ダブルバッファ格納要素として並列して動作する１対の不揮発性メモリ記憶装置と、
動作可能である場合、前記不揮発性メモリ記憶装置のうちの少なくとも１つに有効な消費データが維持されるように、前記所定の連続したデータセットとの関連で前記メモリ記憶装置を動作させる読み取り／書き込みロジックであって、
前記収集のステップ中に収集された第１のデータセットを前記１対の不揮発性メモリ記憶装置の第１のメモリ部分に書き込み、
前記収集のステップ中に収集された第２のデータセットを前記１対の不揮発性メモリ記憶装置の第２のメモリ部分に書き込み、
その後収集された個々のデータセットを前記第１のメモリ部分と前記第２のメモリ部分とに交互に書き込み、
該データセットを書き込む各ステップのすぐ後に各データセットを読み込み、
該読み取られた各データセットを該書き込まれたデータセットと比較し、
該読み取られた各データセットが該書き込まれたデータセットと等しくないことを前記比較のステップが示す場合、該データセットを書き換え、
前記比較のステップおよび書き換えのステップを所定の回数繰り返す
ように動作する読み取り／書き込みロジックと
を具えたことを特徴とするユーティリティメータ。
【請求項２０】
前記読み取り／書き込みロジックは、前記メモリ記憶装置に動作可能に関連付けられるハードワイヤード装置を具えたことを特徴とする請求項１９記載のユーティリティメータ。
【請求項２１】
前記読み取り／書き込みロジックは、前記メモリ記憶装置に一括して動作可能に関連付けられる、プログラム可能装置および実行用の関連のソフトウェアを具えたことを特徴とする請求項１９記載のユーティリティメータ。
【請求項２２】
前記公共商品は電気であることを特徴とする請求項１９記載のユーティリティメータ。
【請求項２３】
前記メモリ記憶装置はそれぞれ、ＥＥＰＲＯＭ、フラッシュメモリ装置、磁気媒体、およびバッテリバックアップ式ＲＡＭのうちの１つを具えたことを特徴とする請求項１９記載のユーティリティメータ。
【請求項２４】
前記第１のメモリエリアおよび前記第２のメモリエリアはそれぞれ、単一メモリ装置の別々のアドレス部分に対応することを特徴とする請求項３記載の電気メータ。
【請求項２５】
前記単一メモリ装置は、不揮発性メモリ装置であることを特徴とする請求項２４記載の電気メータ。
【請求項２６】
前記第１のメモリエリアおよび前記第２のメモリエリアはそれぞれ、別々のメモリ装置であることを特徴とする請求項３記載の電気メータ。
【請求項２７】
前記第１のメモリエリアおよび前記第２のメモリエリアのそれぞれの前記別々のメモリ装置はそれぞれ、別々の不揮発性メモリ装置であることを特徴とする請求項２６記載の電気メータ。